(57)【特許請求の範囲】
【請求項１】
本体もしくは移動体の一方に取り付けられるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、
前記本体もしくは移動体の他方に取り付けられて前記ラッチを待機姿勢から引込姿勢に切り換えたり引込姿勢から待機姿勢に切り換える作動部材とを備え、
前記ラッチが待機姿勢から引込姿勢に切り換えられると、前記付勢手段に蓄積されていた付勢力により前記移動体を前記作動部材を介して本体側第１位置から第２位置へ移動可能にする摺動補助機構において、
前記ラッチと前記スライダーとの間に設けられて、前記ラッチが前記作動部材を介して前記待機姿勢と引込姿勢とに切り換えられるとき、前記スライダーに対する前記ラッチの傾きを防いでラッチの水平な回転運動を維持する規制手段を有し、
前記規制手段は、前記スライダーに設けられてラッチ用枢支部を中心として切り欠かれた弧状の支持溝と、前記ラッチに設けられて前記支持溝に摺動自在に挿通される首部、及びその首部を前記支持溝に挿通した状態で抜け止めする頭部を有した吊り下げ用支軸とからなることを特徴とする摺動補助機構。
【請求項２】
本体もしくは移動体の一方に取り付けられるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、
前記本体もしくは移動体の他方に取り付けられて前記ラッチを待機姿勢から引込姿勢に切り換えたり引込姿勢から待機姿勢に切り換える作動部材とを備え、
前記ラッチが待機姿勢から引込姿勢に切り換えられると、前記付勢手段に蓄積されていた付勢力により前記移動体を前記作動部材を介して本体側第１位置から第２位置へ移動可能にする摺動補助機構において、
前記ラッチと前記スライダーとの間に設けられて、前記ラッチが前記作動部材を介して前記待機姿勢と引込姿勢とに切り換えられるとき、前記スライダーに対する前記ラッチの傾きを防いでラッチの水平な回転運動を維持する規制手段を有し、
前記規制手段は、前記ラッチを前記スライダーに回転可能に支持している軸部に設けられて軸周囲に張り出している鍔部と、前記スライダーに設けられて前記鍔部と嵌合している段差とからなることを特徴とする摺動補助機構。
【請求項３】
本体もしくは移動体の一方に取り付けられるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、
前記本体もしくは移動体の他方に取り付けられて前記ラッチを待機姿勢から引込姿勢に切り換えたり引込姿勢から待機姿勢に切り換える作動部材とを備え、
前記ラッチが待機姿勢から引込姿勢に切り換えられると、前記付勢手段に蓄積されていた付勢力により前記移動体を前記作動部材を介して本体側第１位置から第２位置へ移動可能にする摺動補助機構において、
前記ラッチと前記スライダーとの間に設けられて、前記ラッチが前記作動部材を介して前記待機姿勢と引込姿勢とに切り換えられるとき、前記スライダーに対する前記ラッチの傾きを防いでラッチの水平な回転運動を維持する規制手段を有し、
前記規制手段は、前記ラッチの一部から上向きに突設されて前記スライダーの対応部に摺動自在に接している当接片からなることを特徴とする摺動補助機構。
【発明の詳細な説明】
【技術分野】
【０００１】
本発明は、移動体を本体側の第１位置から第２位置に切り換えたり、第２位置から第１位置に切り換える操作を付勢力を利用して助ける摺動補助機構に関する。
【背景技術】
【０００２】
図１２は特許文献１の摺動補助機構を示している。この例では、本体が引戸を摺動自在に配置しており、作動部材である突起体９を引戸に設け、本体に設けられた摺動補助機構の主要部である引込ユニットにより引戸を突起体９を介して引き込む。この引込ユニットは、本体に取り付けられるケース１、ケース１に摺動自在に配されたスライダー２Ａ，２Ｂ、各スライダーに対しシャフト８を介して回転可能に支持されたラッチ５，５、付勢手段３からなる。突起体９は引戸の上端面に突設される。
【０００３】
ここで、ケース１は、本体側ガイドレールに沿って配置される関係で細長いとともに薄くすることが要求される。また、各スライダー２Ａ，２Ｂ及びラッチ５は、そのケース１に対し次のような構成により安定・良好となるよう配置されている。すなわち、各スライダーは、上下面に設けられた各凸部２２をケース１の上下面に設けられたガイド溝１２ｂ，１６ｂに嵌合し、上下側のガイド手段により案内されながら摺動される。また、各ラッチ５は、上下面に設けられた各突起５２をケース１の上下面に設けられたガイド溝１４，１９に案内されながら摺動される。各ガイド溝１４，１９は、それぞれガイド溝１２ｂ，１６ｂと平行な直線溝１４ａ，１９ａと、直線溝１４ａ，１９ａの両側に設けられた略Ｌ形の係止溝１４ｂ，１９ｂとからなる。
【０００４】
以上の摺動補助機構において、図１２（ａ）の両側ラッチ５及び（ｂ）の右側ラッチ５は待機姿勢である。この待機姿勢では、上下の突起５２が対応する係止溝１４ｂ，１９ｂに係止され、それによりラッチ５がスライダー２Ａと共に付勢手段３に蓄積された付勢力に抗し位置規制されている。そして、図１２（ａ）の状態から、不図示の左側の開位置にある引戸を開から閉方向へ摺動操作させると、突起体９が対応する引込ユニットのラッチ５のフック部５０内面に当たり、ラッチ５がその応力により回転されて待機姿勢から（ｂ）の左側のごとく引込姿勢に切り換えられる。この引込姿勢では、ラッチ５が突起体９をフック部内に拘束した状態で、上下の突起５２が係止溝１４ｂ，１９ｂから直線溝１４ａ，１９ａに入って係止解除される。このため、ラッチ５及びスライダー２Ａは、付勢手段３に蓄積された付勢力により摺動され、引戸を突起体９を介して閉位置に自動で切り換える。また、閉位置から、該引戸の開操作によって、突起体９がラッチ５と共に図面の左側へ摺動されると、それに伴って付勢手段３に付勢力を蓄積する。更に引戸が開方向へ動かされると、再び付勢力を蓄積して待機姿勢に切り換えられる。
【先行技術文献】
【特許文献】
【０００５】
【特許文献１】特開２００８−１４４５６７号公報
【発明の概要】
【発明が解決しようとする課題】
【０００６】
上記摺動補助機構にあっては、引戸が閉操作されるとき、途中から付勢手段の付勢力により閉位置まで自動的に切り換えられるため、引戸の不完全な閉状態の発生を解消できる。しかし、この従来機構では、コイルバネを付勢手段として使用すると、取扱性や確実な付勢力を付与し易い反面、例えば引込過程において、初期段階の付勢力と最終間際の付勢力とが大きく異なり、それに起因して摺動特性が損なわれ易くなる。この対策としては、スライダーの摺動速度を制動手段により緩和することに加え、使用コイルバネとしては全寸ができるだけ長いものを使用するようにしている。
【０００７】
すなわち、好ましいコイルバネとしては、図１２の例だと、付勢力を解放した状態で、左側スライダー２Ａの左端と右側スライダー２Ｂの右端との間の距離に合わせて、ばねの全寸を最も長く設定することである。但し、そのようなコイルバネを用いると、ラッチがコイルバネに干渉し易くなり、しかもラッチの姿勢切換を案内しているガイド手段（上記した上下の突起５２，５２をケース上下面のガイド溝１４，１９に嵌合する構成）のうち、コイルバネ側に位置している突起とガイド溝とを省略しなければならない。なお、以上の対策としては、ケースを大きくして、ラッチとコイルバネとを緩衝しないよう離間させることで解消されるが、偏平小型化が犠牲となり採用困難である。
【０００８】
本発明の目的は、上記したような課題を解消して、付勢手段として全寸の長いコイルバネを使用する場合にも、作動特性、簡易化、偏平小型化を維持したりより改善し易くすることにある。
【課題を解決するための手段】
【０００９】
請求項１の本発明は、本体もしくは移動体の一方に取り付けられるケース、及び前記ケースに摺動自在に配されたスライダー、及び前記スライダーに支持されてケース対応部に係止する待機姿勢と前記係止を解除する引込姿勢とに切り換えられるラッチ、並びに付勢手段からなる引込ユニットと、前記本体もしくは移動体の他方に取り付けられて前記ラッチを待機姿勢から引込姿勢に切り換えたり引込姿勢から待機姿勢に切り換える作動部材とを備え、前記ラッチが待機姿勢から引込姿勢に切り換えられると、前記付勢手段に蓄積されていた付勢力により前記移動体を前記作動部材を介して本体側第１位置から第２位置へ移動可能にする摺動補助機構において、前記ラッチと前記スライダーとの間に設けられて、前記ラッチが前記作動部材を介して前記待機姿勢と引込姿勢とに切り換えられるとき、前記スライダーに対するラッチの傾きを防いでラッチの水平な回転運動を維持する規制手段を有し、前記規制手段は、前記スライダーに設けられてラッチ用枢支部を中心として切り欠かれた弧状の支持溝と、前記ラッチに設けられて前記支持溝に摺動自在に挿通される首部、及びその首部を前記案内溝に挿通した状態で抜け止めする頭部を有した吊り下げ用支軸とからなる構成であることを特徴としている。
【００１０】
以上の発明は請求項２と３の各発明は、請求項１の規制手段を変更したものである。
【００１１】
すなわち、請求項２の発明は、前記規制手段として、前記ラッチを前記スライダーに回転可能に支持している軸部に設けられて軸周囲に張り出している鍔部と、前記スライダーに設けられて前記鍔部と嵌合している段差とからなる構成である。
【００１２】
請求項３の発明は、前記規制手段として、前記ラッチの一部から上向きに突設されて前記スライダーの対応部に摺動自在に接している当接片からなる構成である。
【００１３】
なお、以上の移動体としては引戸以外に引出なども含まれる。本体としては引戸用の枠や引出用の収納部なども含まれる。第１位置は移動体の完全な閉位置や開位置を示し、これには移動体を収納部に完全に押し入れた閉位置や引き出した開位置も含まれる。第２位置は移動体の完全な開位置や閉位置を示し、これには移動体を収納部から完全に引き出した開位置や押し入れた閉位置も含まれる。
【発明の効果】
【００１４】
請求項１から３の各発明では、ラッチが移動体側の作動部材を介して待機姿勢と引込姿勢とに切り換えられるとき、ラッチとスライダーとの間に設けられた規制手段によりスライダーに対する水平な回転を維持してがたつきや傾きを防ぐことができる。これにより、各発明では、形態のごとく付勢手段として全寸の最も長いコイルバネ（付勢力を解放した状態で、左側スライダーの左端と右側スライダーの右端との間の長さ相当のコイルバネ）を使用する場合にも、ラッチ用の規制手段がラッチとスライダーとの間に設けられているため、例えば特許文献１に示されているラッチとケース下面とに設けられているガイド手段（ラッチ下面の突起５２、ケース下面のガイド溝１９）を省略しても、ラッチの姿勢切換が安定かつ確実に維持され、それによって作動特性をより向上できる。
【００１５】
加えて、請求項１の発明では、規制手段として図２に例示されるごとく、ラッチがスライダー側の支持溝に対しラッチの回転を損なうことなく支軸を介して吊り下げ状態で支持されるため、構成簡易にラッチの水平回転を維持できる。
【００１６】
また、請求項２の発明では、規制手段として図４（ａ）に例示されるごとく、ラッチをスライダーに回転可能に支持している軸部を利用し、該軸部の軸周囲に張り出している鍔部と、スライダーに設けられて鍔部と嵌合する段差とから構成されるため、構成簡易にラッチの水平回転を維持できる。
【００１７】
また、請求項３の発明では、規制手段として図４（ｂ）に例示されるごとく、ラッチの一部から上向きに突設されてスライダーの対応部に摺動自在に接している当接片からなるため、構成簡易にラッチの水平回転を維持できる。
【図面の簡単な説明】
【００１８】
【図１】形態例の摺動補助機構の主要部である引込ユニットを示す分解構成図である。
【図２】（ａ）は上記引込ユニットからカバーを外した状態での平面図、（ｂ）は（ａ）のＡ部拡大図、（ｃ）は（ｂ）のＦ−Ｆ線断面図である。
【図３】図２（ａ）のＢ−Ｂ線断面図、（ｂ）はＣ−Ｃ線断面図、（ｃ）はＤ−Ｄ線断面図、（ｄ）はＥ−Ｅ線断面図である。
【図４】（ａ）は変形例１を図２（ｃ）の態様で示す拡大断面図、（ｂ）は変形例２を同様な態様で示す拡大断面図である。
【図５】（ａ）はケースを上側から見た上面図、（ｂ）はその側面図である。
【図６】（ａ）はカバーを下側から見た下面図、（ｂ）はその側面図である。
【図７】一方のスライダーを示し、（ａ）は上側から見た概略斜視図、（ｂ）は（ａ）から所定角変位した概略斜視図である。
【図８】他方のスライダーを示し、（ａ）は上側から見た概略斜視図、（ｂ）は（ａ）から所定角変位した概略斜視図である。
【図９】ラッチ（一方スライダー側のラッチ）を示し、（ａ）は上面図、（ｂ）は正面図、（ｃ）は下面図、（ｄ）は（ａ）のＧ−Ｇ線断面図である。
【図１０】上記引込ユニットの作動を、（ａ）と（ｂ）はラッチの待機姿勢で各部材の関係を示す模式図、（ｃ）はラッチが待機姿勢から引込姿勢に切り換えられた状態で示す模式図、（ｄ）は付勢手段に付勢力を蓄積している過程を示す模式図である。
【図１１】上記引込ユニットの適用例として、（ａ）は本体及び移動体の具体例を示し、（ｂ）は作動部材の構成例を示している。
【図１２】特許文献１の摺動補助機構を示し、（ａ）は引込ユニットの構成図、（ｂ）はその要部作動図である。
【発明を実施するための形態】
【００１９】
本発明形態を図面を参照しながら説明する。図１は摺動補助機構のメイン部となる引込ユニットの全体構成を示し、図２と図３は引込ユニットの内部の詳細を示し、図４は要部の変形例を示し、図５〜図９は構成部材の細部を示し、図１０は要部作動を示し、図１１は使用例と作動部材の構成例を示している。なお、これらの図面は、作図上、一部を省略したり簡略化している。以下、機構特徴、引込ユニット、作動部材、組立、作動、変形例の順に詳述する。
【００２０】
（機構特徴）形態の摺動補助機構は、本体７もしくは移動体として引戸の一方に取り付けられる引込ユニット６と、本体７もしくは引戸の他方に取り付けられる作動部材である突起体８とからなる。以下の形態では、引込ユニット６を本体７に取り付け、突起体８を引戸Ａ（Ｂ）に取り付けた場合を示したが、引込ユニット６を引戸Ａ（Ｂ）に取り付け、突起体８を本体７に取り付けることも可能である。また、引込ユニット６及び突起体８は、対象の移動体や引き込み作動設定により次の３種類の構成に大別される。
【００２１】
第１の構成は、図１〜図４に示した引込ユニット６及び２つの突起体８を組として使用する場合である。引込ユニット６は、ケース１に対し、互いに接離する方向へ摺動される対のスライダー２Ａ，２Ｂと、スライダー２Ａ，２Ｂ同士を接近する方向へ付勢している付勢手段３と、各スライダー２Ａ，２Ｂの摺動速度を制動する制動手段５と、各スライダー２Ａ，２Ｂにそれぞれ回転可能に支持されて、ケース１内の対応部に解除可能に係止されることによりスライダー２Ａ，２Ｂ同士を離間した状態に保持可能な対のラッチ４，５とを配置している。要部は、ラッチ４，５とスライダー２Ａ，２Ｂとの間に設けられて、ラッチ４，５が突起体８を介してケース対応部（ガイド溝１６の係止溝１６ｂ）に係止する待機姿勢と前記係止を解除する引込姿勢とに切り換えられるとき、スライダー２Ａ，２Ｂに対するラッチの水平な回転運動を維持する規制手段９を有している点にある。また、引込み構成は、移動体として図１１（ａ）の引戸Ａ，Ｂの一方、例えば引戸Ａを本体７の対応する開口部に対し摺動するようなときであり、引戸Ａを閉位置から開方向への移動途中、及び開位置から閉方向への途中まで移動すると、後は付勢手段４の付勢力により開位置や閉位置まで移動されるようにする。
【００２２】
第２の構成は、移動体として図１１（ａ）の引戸Ａ，Ｂを本体７の対応する開口部に対しそれぞれ摺動するような場合で、同図では２つの引出ユニット６及び合計４つの突起体８を組として使用したが、それに代えて、図１２のごとく引戸Ａに対応した引込ユニット６及び引戸Ｂに対応した引込ユニット６の構成部材を共通のケースに組み付ける。すなわち、この引込ユニットでは、互いに接離する方向へ摺動される対のスライダー２Ａ，２Ｂと、スライダー２Ａ，２Ｂ同士を接近する方向へ付勢している付勢手段３と、各スライダー２Ａ，２Ｂの摺動速度を制動する制動手段５と、各スライダー２Ａ，２Ｂにそれぞれ枢支されていると共に、ケース１側に解除可能に係止されることによりスライダー２Ａ，２Ｂ同士を離間した状態に保持可能な対のラッチ４，４とを単位とし、この２組を同じケースに対し配置している構成である。この説明は形態から容易に推察されるため省略する。
【００２３】
第３の構成は、移動体を一方向へだけ引き込む場合である。この引込ユニットは、例えば、図２（ａ）において、スライダー２Ａ，２Ｂの一方を省略し、付勢手段３であるコイルバネの一端をスライダーに係止すると共に他端をケース側に係止し、制動手段５の一端をスライダーに係止すると共に他端をケース側に係止する最も簡易な構成となる。この説明も形態から容易に推察されるため省略する。
【００２４】
（引込ユニット）引込ユニット６の細部を明らかにする。ケース１は、図１と図５に示されるごとく上側を開口した空間部１０と、空間部１０の左右に張り出している本体側への取付部１０ａとを一体に形成しており、空間部１０を閉じるカバー１５を有している。空間部１０は、細長い矩形の容器状をなし、下面１１と両側面１２と左右の端部で区画されている。符号１３は空間部１０の内片側を区画している端部である。下面１１には、幅中間に位置して左右に延びているガイド孔１１ａと、左右に分かれているとともに断面が略凹状のスライダー用ガイド溝１１ｂと、ガイド孔１１ａの片側縁部に沿って略Ｌ形段差となっているスライダー用ガイド溝１１ｃとが設けられている。
【００２５】
カバー１５は、ガイド溝１１ｂと対向する略凹状ガイド溝１９ａと、ガイド溝１９ａに接近して同方向へ並設されている略凹状ガイド溝１９ｂと、左右中間に設けられている略凹状のラッチ用ガイド部１６と、ガイド部１６の内側で左右に延びている略凹状ガイド溝１９ｃとを有している。カイド部１６は、ガイド溝１９ｂとガイド溝１９ｃの間で左右に延びる直線溝１６ａと、直線溝１６ａの両側に設けられた略Ｌ形の係止溝１４ｂとからなる。
【００２６】
ケース側の両側面１２及びカバー側の両側１７には、カバー１５を空間部１０に配置したときに互いに係合する鉤状係止部１２ａと穴状係合部１７ａとが複数対に設けられている。また、ケース側の取付部１０ａ及びカバー側の左右端面１８には、カバー１５を空間部１０に配置したときに互いに係合する凹状係止部１０ｄと凸状係合片１８ａとが設けられている。そして、この例では、カバー１５がそれらの係合を介してケース１に装着される。左右の取付部１０ａは、幅方向の断面が逆凹状となっており、突起体８がその逆凹状部からガイド孔１１ａに沿って摺動可能となっている。
【００２７】
スライダー２Ａ，２Ｂは、樹脂製のブロック状をなし、図７と図８に示されるごとくケース側下面１１とカバー１５との間の空間に配置される。この例では、後述するごとく制動手段５としてピストン式ダンパーを使用した関係で、スライダー２Ａ，２Ｂが異形状になっているが、制動手段としてロータリー式ダンパーを使用するような場合は同形状にすることも可能である。
【００２８】
スライダー２Ａとスライダー２Ｂとは、制動手段用連結部２１，３１が上下面２ａ，２ｂ又は３ａ，３ｂの一部を形成しているとともに、上下面２ａ，２ｂ及び上下面３ａ，３ｂに設けられて左右に延びた凸部２２又は３２を有している点、一側つまり連結部側と平行に設けられて制動手段５をガイドする断面円弧状のガイド部２３，３３、及び他側の下面側長手方向に沿って設けられているばね配置部２５，３５を有している点、各ばね配置部２５，３５の一端側に設けられて付勢手段３であるコイルバネの対応する端部を係止する凹状の掛止め部２５ａ又は３５ａを有している点、ばね配置部２５，３５側にあって下側の一部を逆凹状に形成しているラッチ配置部２０，３０を有している点、各ラッチ配置部２０，３０を区画している上壁部に設けられている逃げ溝２８，３８、及び支持溝２７，３７、並びに枢支用軸孔２６，３６を有している点で共通している。
【００２９】
ここで、連結部２１は、内端面に設けられた差込穴２４ａ及び外側から切り欠いた逃げ部２４ｂを有している。これに対し、連結部３１は、内端面との間に隙間３４ｂを保って設けられた略Ｕ形のクランプ部３４ａを有している。また、ラッチ配置部２０，３０において、軸孔２６，３６は、中央から外れた角部側に設けられて上下貫通されている。支持溝２７，３７は、図２（ｂ）のごとく軸孔２６，３６と同心円上にあって円弧状に切り欠かれているとともに、上縁に沿って設けられた受け面となる段差２７ａを有している。逃げ溝２８，３８は支持溝３７より大きな開口となっている。
【００３０】
ラッチ４は、図２のごとくスライダー２Ａに用いるラッチと、スライダー２Ｂに用いるラッチが左右対称形となる。図９はスライダー２Ａ側のラッチを示している。同図を参考にして説明すると、ラッチ４は、ラッチ配置部２０，３０に余裕を持って収まる厚さ寸法からなる樹脂成形体であり、スライダー側に枢支する支持部４０と、支持部４０の一側に設けられて作動部材である突起体８と係脱する通常時の係合部４２と、ラッチ下面側にあって係合部４２より先端４５側に設けられている補助係合手段４７とを一体に形成している。
【００３１】
支持部４０は、上面側にあって端部側に突設された枢支用軸部４３と、中央付近に突設された吊り下げ用支軸４１、軸部４３から離れる端部側に突設された突起４６を有している。ラッチ４は、軸部４３がスライダー側軸孔２６又は３６に嵌合されることにより、スライダー２Ａや２Ｂに対して回転可能に組み付けられる。支軸４１は、支持溝３７と共に本発明の規制手段９を構成しており、支持溝３７に摺動自在に挿通される首部４１ａ、及びその首部４１ａを支持溝３７に挿通した状態で抜け止めする頭部４１ｂを有している。突起４６は、軸部４３及び支軸４１より高く形成されていて、ラッチ４が各スライダーに回転可能に枢支された状態でカバー側のカイド部１６に嵌合して、直線溝１６ａに沿って摺動し、かつ、係止溝１６ｂと係合することでラッチ４（及びスライダー）の摺動を係止する。
【００３２】
補助係合手段４７は、ラッチ４が誤作動で非係合状態の引込姿勢になったときに突起体８と係合し、それによりラッチ４を引込姿勢から待機姿勢に切換可能にする。この例では、ラッチ下面側で先端側を大きく落ち込んだ段差状にし、突起体８を導く先端側の斜面案内部４５ａ及び該斜面案内部４５ａに連なって一段深くなった凹部４７から構成されている。斜面案内部４５ａは先端に行くほど低くなるテーパーである。使用態様において、突起体８は斜面案内部４５ａに対し上向きに当接すると、突出量を減じながら摺動し、凹部４７に入ると再び突出量を増大して該凹部４７との係合を維持する。また、以上のラッチ４は、係合部４２を形成している箇所Ｃがそれ以外の箇所と異なる材質で構成されている。つまり、ラッチ４は、２色成形法に成形されて、ラッチ骨材（箇所Ｃを除く箇所）が一次成形で形成された硬質樹脂部、係合部４２を形成している箇所Ｃが二次成形された軟質樹脂部である。これは、突起体８が係合部４２のＵ形対応部に衝突したときに異音が発生し易くなるが、Ｕ形対応部を軟質樹脂部で構成することによりそのような打音発生を解消できるためである。これらの細部は特願２００８−１４９９０８号を参照されたい。
【００３３】
付勢手段３は圧縮コイルバネが用いられている。このバネの全寸は、付勢力を解放した状態で、スライダー２Ａとスライダー２Ｂとの長さの和とほぼ等しくなっており、最大まで長くすることでバネ特性を良好に付与できるようにしている。両端には取付用の径小巻きバネ部３ａが設けられている。
【００３４】
制動手段５はピストン式ダンパー式が使用されている。このピストン式ダンパーは公知のもの（例えば、特開２００６−２９５６４号等）であればよく、シリンダー５０及び該シリンダー５０に緩やかに出没されるピストンロッド５１を有し、ピストンロッド５１が固定されているシリンダー５０に対し緩やかに駆動したり、シリンダー５０が固定されているピストンロッド５１に対し緩やかに駆動する構成であればよい。また、シリンダー５０は図２のごとく後端外周に首状係止溝５０ａを有し、ピストンロッド５１は先端外周に首状係止溝５１ａを有している。
【００３５】
（作動部材）図１１（ｂ）は作動部材である突起体８の具体例を示している。この突起体８は、移動体である引戸Ａ（Ｂ）に対し付勢力を介して出没自在、つまり負荷を受けると付勢力に抗して突出量を減じる構成である。全体構造は、突起体８と、有底筒形の支持部３５と、付勢ばね３７と、保持部材３６とを有している。このうち、突起体８は支持部３５の上端面に突設されている。支持部３５は、内部が付勢ばね３７を配置する空洞３５ａになっていると共に、対向側面に凸部３５ｂを突設している。保持部材３６は、有底筒形からなり、筒上周囲に取付部３６ｃを突設していると共に、対向側面に穴部３６ｂを形成している。そして、支持部３５は、保持部材３６に対し、付勢ばね３７を支持部３５内に配置した状態で保持部材３６の穴部３６ａに押し込まれ、かつ凸部３５ｂを穴部３６ｂに係合して抜け止め処理される。この組立状態では、突起体８は、支持部３５と共に保持部材３６に対し付勢ばね３７の付勢力により最大まで突出されて、例えば下向き荷重を受けると、付勢ばね３７の付勢力に抗して突出量を減ずる。なお、本発明の突起体８は、例えば、特開２００７−１０７３０１号に開示されているガイド軸構成又はそれに類似する構成でもよい。
【００３６】
（組立）以上の各部材は、例えば、各ラッチ４をスライダー２Ａ，２Ｂに枢支した後、スライダー２Ａ，２Ｂ同士を制動手段５であるピストン式ダンパー及び付勢手段３であるコイルバネを介在して連結する。次に、それらをケース１に組み入れ、かつケース１にカバー１５を取り付けることで引込ユニット６として完成される。
【００３７】
まず、各ラッチ４は、スライダー２Ａ，２Ｂに対し、軸部４３と軸孔２６又は軸部４３と軸孔３６の嵌合により回転可能に支持される。この支持状態では、支軸４１が円弧状の支持溝２７や３７に対し吊り下げ状態で支持され、突起４６が逃げ溝２８や３８を通ってスライダーの上面側へ突出される。その後、スライダー２Ａ，２Ｂ同士は制動手段５であるピストン式ダンパーを介して連結される。この場合、ピストンロッド５１はスライダー２Ａの連結部２１に対し、先端を差込穴２４ａに挿入した状態で、図３（ｄ）のごとく止め輪５２を逃げ部２４ｂからロッド先端外周の係止溝５１ａに係合することで連結される。シリンダー５０は、スライダー２Ｂの連結部３１に対し、上記したシリンダー側係止溝５０ａを隙間３４ｂに一致させて押すだけでクランプ部３４ａに係合連結される。また、付勢手段３であるコイルバネは、両端側の径小巻きバネ部３ａが一方スライダーの凹状掛止め部２５ａと他方スライダーの凹状掛止め部３５ａにそれぞれ差し込み操作により連結される。
【００３８】
次に、以上のラッチ４付きのスライダー２Ａと２Ｂは、制動手段５及び付勢手段３と共にケース１に対し配置される。この例では、スライダーとケースとの間のガイド手段として、各スライダー下面の凸部２２ｄ又は３２ｄがケース側ガイド溝１１ｃと嵌合し、各スライダーの上下面の凸部２２又は３２がケース側ガイド溝１１ｂ及びカバー側ガイド溝１９ａと嵌合し、各スライダー上面の凸部２２ａ又は３２ａがカバー側ガイド溝１９ｂと嵌合し、各スライダーの上面に設けられた凸部２２ｂ又は３２ｂがカバー側ガイド溝１９ｃと嵌合した状態、つまり上下複数箇所で精度よく案内されるようになっている。また、ラッチ４は、突起４６がスライダーの逃げ溝２８からケース側のガイド部１６に嵌合しており、スライダーの摺動に伴って直線溝１６ａに沿って摺動される引込姿勢と、直線溝１６ａから係止溝１６ｂに入って係止される待機姿勢とに切り換えられる。
【００３９】
（作動）図１０は上記した組立状態において摺動補助機構及び引込ユニット６の作動を示している。ここでは、図８（ａ）の引戸に適用した場合を想定し作動を明らかにする。
【００４０】
（１）同１０（ａ）は図２の引込ユニット６における右側部分、つまりラッチ４の待機姿勢を作動部材である突起体８と共に示し、（ｂ）は部材関係を分かり易くするため（ａ）と同じ態様をスライダー２Ａだけ想像線で示している。このラッチの待機姿勢において、付勢手段３であるコイルバネは引き延ばされて付勢力を蓄積している。ラッチ４は、突起４６がケース側の係止溝１６ｂと係合した状態でケース１の対応部に係止され、それによりスライダ２Ａを付勢手段３の付勢力に抗して位置規制している。
【００４１】
ところで、ラッチ４には、付勢手段３により負荷がスライダー２Ａを介して加わっており、例えば、大きな振動を受けると、枢支部（軸部４３とスライダー側軸孔２６）を支点として揺動し軸部４３から離れる先端側が下向きに傾斜し、それに起因して突起４６が係止溝１６ｂから不用意に係止解除される虞がある。その対策として、図１２の従来機構では、上記したごとくラッチ５が上下面に突起５２を有し、各突起５２をケース１の上下面に設けられたガイド溝１４，１９と嵌合するようにしていた。しかし、この対策だと課題に述べたような制約があった。これに対し、本発明機構では、上記した規制手段９を有し、ラッチ４がスライダー側支持溝３７に支軸４１を介して吊り下げ状態に支持して水平状態を保つことにより、そのような誤作動を防ぐ。
【００４２】
（２）図１０（ｃ）はラッチが引込姿勢に切り換えられた状態を示している。このラッチの姿勢切換は、ラッチ４が図１０（ｂ）の待機姿勢にあるとき、引戸が同図の右から左方向（閉方向）へ移動されてきて、引戸の突起体８が係合部４２の対応部に当たる。すると、ラッチ４は、その応力により軸部４３を支点として逆時計回りに回転されて突起４６係止溝１６ｂから係止解除されて直線溝１６ａと嵌合し、突起体８を係合部４２に係合した引込姿勢に切り換えられる。すると、スライダー２Ａは、ラッチ４と共に付勢手段３の付勢力によりスライダー２Ｂ側へ引き込まれて引戸を閉位置に切り換える。この場合、この形態では、引戸が付勢手段３の付勢力により移動されるとき、上記した制動手段５の制動を受けて緩やかに摺動される。
【００４３】
以上の姿勢切換において、規制手段９は、ラッチ４が枢支部（軸部４３とスライダー側軸孔２６）を支点として逆時計回りに回転されるとき、支軸４１がスライダー側支持溝３７（の段差３７ａに受け止められた状態で）に沿って摺動されるため、スライダー２Ａに対するラッチ４の傾きを防いで水平な回転運動を確実に保つ。これにより、本発明機構では、ラッチ４が作動部材である突起体８を介して待機姿勢と引込姿勢とに切り換えられるとき、突起４６がラッチの傾き等に起因してガイド部１６から外れて誤作動を生じるという虞を解消し、かつ、付勢手段３としてより長いコイルバネを用いても、ラッチとの緩衝をなくしたり偏平小型化も図り易いものとなっている。
【００４４】
（３）図１０（ｃ）は、引戸を閉位置から開方向へ摺動操作している状態を想定している。この過程では、引戸が同図の左から右方向へ移動操作されると、スライダー２Ａが引込姿勢になっているラッチ４（の係合部４２）に係合されている突起体８を介して右側へ摺動される。引戸が更に右移動されて図１０（ｂ）のごとく右側の係止溝１６ｂに達すると、ラッチ４は、突起体８が係合部４２から抜け出すときの反力により軸部４３を支点として時計回りへ回転しながら、突起４６が係止溝１４ｂに係合して待機姿勢に切り換えられる。
【００４５】
以上の姿勢切換において、規制手段９は、ラッチ４が枢支部（軸部４３とスライダー側軸孔２６）を支点として時計回りに回転されるとき、支軸４１がスライダー側支持溝３７（の段差３７ａに受け止められた状態で）に沿って摺動されるため、スライダー２Ａに対するラッチ４の傾きを防いで水平な回転運動を維持し、それにより誤作動の虞も解消される。また、この過程では付勢手段３に付勢力が蓄積される。該蓄積状態はラッチ４が待機姿勢にある限り保たれる。
【００４６】
なお、以上の摺動補助機構及び引込ユニット６は、上述したような規制手段９による利点以外に次の点でも優れている。すなわち、ストライカー２Ａ又は２Ｂとラッチ４との関係において、ストライカー２Ａ又は２Ｂに対するラッチ４の配置箇所が任意に設定可能となる点である。これは、図２及び図１０から推察されるごとく、ストライカー２Ａ又は２Ｂは、幅方向に二分して、制動手段５をガイドする断面円弧状のガイド部２３，３３を一側に沿って設け、ばね配置部２５，３５及びラッチ配置部２０，３０を他側に沿って設けているためである。
【００４７】
（変形例）図４（ａ），（ｂ）は上記した規制手段９（支軸４１及びガイド溝２７からなる）を変更した２つの変形例を図２（ｃ）に対応させて示している。この説明では、上記形態と同じ箇所に同一符号を付し変更点だけを明らかにする。
【００４８】
図４（ａ）の規制手段９Ａは、ラッチ側軸部４３の周囲に設けられた鍔部２９と、スライダー側に設けられて鍔部２９と嵌合している段差２６ａとから構成されている。鍔部２９は、座金状となっており、軸部４３の先端周囲に設けられた係止溝４３ａを介して支持されている。段差２６ａは、軸孔２６を中心として設けられて鍔部２９を摺動自在に受け入れる凹状となっている。そして、以上の構成では、ラッチ４がスライダー側のラッチ配置部４０に対し、軸部４３を軸孔２６ａに挿通した後、鍔部２９を軸部先端から係止溝４３ａに押し込むことにより一体的に装着される。このため、この規制手段９Ａでは、ラッチ４が軸部４３と軸孔２６（又は軸孔３６）との枢支部を介して回転されるとき、ないしはラッチ４が作動部材である突起体８を介して待機姿勢と引込姿勢とに切り換えられるとき、段差２６ａに対し面一となるよう支持されている鍔部２９を介してスライダーに対するラッチの傾きを防ぐことができる。
【００４９】
図４（ｂ）の規制手段９Ｂは、ラッチ４の一部、通常は軸部４３を突出している支持部４０から上向きに突設されて、スライダー側のラッチ配置部４０の対応部に摺動自在に接する当接片４９を有している。この当接片４９は、支持部４０のうち、軸部４３を挟んで、先端４５と反対側となる箇所に設けられる。また、ラッチ配置部４０には、その当接片４９の先端面を接した状態で摺動するガイド溝２０ａが設けられている。このガイド溝２０ａは浅い案内溝であるが、省略してもよい。また、この例では規制手段９Ｂが規制手段９Ａと共に採用されている。但し、摺動補助機構や引込ユニット６としては何れか一方の規制手段９，９Ａ，９Ｂを備えていればよい。すなわち、規制手段９Ｂでも、ラッチ４が軸部４３と軸孔２６（又は軸孔３６）との枢支部を介して回転されるとき、ないしはラッチ４が作動部材である突起体８を介して待機姿勢と引込姿勢とに切り換えられるとき、当接片９がガイド溝２０ａに対し当たりながら動くことによりスライダーに対するラッチの傾きを防ぐことができる。以上のように、本発明は、請求項で特定された要件を除いて適宜に変更可能なものである。
【符号の説明】
【００５０】
１…ケース（１５はカバー）
２Ａ…スライダー（２０はラッチ配置部、２６は軸孔、２５はばね配置部）
２Ｂ…スライダー（３０はラッチ配置部、３６は軸孔、３５はばね配置部）
２ａ，２ｂ…スライダーの上下面
３…付勢手段
４…ラッチ（４０は支持部、４２は係合部、４３は軸部、４６は突起）
５…制動手段（５０はシリンダー、５１はピストンロッド）
６…引込ユニット
７…本体
８…突起体（作動部材、３５は支持部、３６は保持部材、３７は付勢ばね）
９…規制手段（４１は支軸、２７は支持溝）
９Ａ…規制手段（２９は鍔部、２９ａは段差）
９Ｂ…規制手段（４９は当接片、２０ａは摺動溝）
１６…ガイド部（１６ａは直線溝、１６ｂは係止溝）
２５ａ，３５ａ…掛止め部（取付手段）
Ａ，Ｂ…引戸（移動体）
【図１】
0005628958.tif 000002
【図２】
0005628958.tif 000003
【図３】
0005628958.tif 000004
【図４】
0005628958.tif 000005
【図５】
0005628958.tif 000006
【図６】
0005628958.tif 000007
【図７】
0005628958.tif 000008
【図８】
0005628958.tif 000009
【図９】
0005628958.tif 000010
【図１０】
0005628958.tif 000011
【図１１】
0005628958.tif 000012
【図１２】
0005628958.tif 000013